(57)【要約】【課題】着脱性を高めつつ作業中のズレや不慮の外れなどを防止して装着性を高めることができる作業用手袋を提供する。【解決手段】作業用手袋１は、指先から手のくるぶし付近までの長さを有し、５本の指部１１〜１５の近位指節間関節の背側から手甲部１６を経て手首部１８に至る部分を除く部位にゴム被膜２を被覆する。更に、手首部１８に、そのくるぶし付近の端縁より小指部１５側に向かって切り欠いたスリット１９を設け、このスリット１９を挟んで対向する手首部１８の手甲部１６側に、面ファスナー３の雄材３１を取り付ける一方、手首部１８の手掌部１７側のスリット１９に一端を取り付けたバンド３３の裏面に面ファスナー３の雌材３２を取り付ける。そして、作業用手袋１を手に装着した際にバンド３３の裏面の雌材３２を手首部１８の手掌部１７側に引き付けてスリット１９を閉ざすように雄材３１に係合させて、手のくるぶし付近での締め付け調節をする。【選択図】図２
2012052261.tif 000002
【特許請求の範囲】
【請求項１】
指先から手のくるぶし付近までの長さを有し、少なくとも手の平側に対応する部分がゴム材により被覆された作業用手袋であって、
上記手のくるぶし付近に対応する部分には、そのくるぶし付近の端縁より指先側に向かって切り欠いたスリットが設けられ、
上記スリットを挟んで対向する一方の対応部位には、互いに係脱自在に係合する面ファスナーの雄材及び雌材のいずれか一方が取り付けられている一方、他方の対応部位には、上記面ファスナーの雄材及び雌材のいずれか他方が取り付けられていて、手に装着した際に面ファスナーの雄材と雌材との係合により手のくるぶし付近での締め付け調節がなされていることを特徴とする作業用手袋。
【請求項２】
指先から手のくるぶし付近までの長さを有し、少なくとも手の甲に対応する部分を除く部位が皮革材により成形された作業用手袋であって、
上記手のくるぶし付近に対応する部分には、そのくるぶし付近の端縁より指先側に向かって切り欠いたスリットが設けられ、
上記スリットを挟んで対向する一方の対応部位には、互いに係脱自在に係合する面ファスナーの雄材及び雌材のいずれか一方が取り付けられている一方、他方の対応部位には、上記面ファスナーの雄材及び雌材のいずれか他方が取り付けられていて、手に装着した際に面ファスナーの雄材と雌材との係合により手のくるぶし付近での締め付け調節がなされていることを特徴とする作業用手袋。
【請求項３】
手の甲側に対応する部分が、伸縮性を有する編地により構成されている請求項１又は請求項２に記載の作業用手袋。
【発明の詳細な説明】
【技術分野】
【０００１】
本発明は、指先から手のくるぶし付近までの長さを有するゴムや皮革等により成形された作業用手袋に関し、特に、着脱性を高めつつ作業中のズレなどを防止して装着性を高め得る対策に係る。
【背景技術】
【０００２】
一般に、ゴムや皮革等よりなる作業用手袋にあっては、指先から手のくるぶし付近までの形状に則して成形されているため、作業するに当たって手に着けたり外したりする着脱時に作業用手袋の内面に対し作用する摩擦により手指等がへばり付いて容易に着脱することができず、着脱性が非常に悪いものとなる。
【０００３】
そこで、ゴム材よりなる作業用手袋を、その手の甲に対応する部分を切り欠いて成形することで、作業用手袋の手の甲に対応する部分での摩擦を無くして着脱性を高めるようにしたものが従来より知られている（例えば、特許文献１参照）。
【先行技術文献】
【特許文献】
【０００４】
【特許文献１】特開２００７−２９１５８４号公報
【発明の概要】
【発明が解決しようとする課題】
【０００５】
ところが、上記従来のものでは、手の甲に対応する部分が切り欠かれていると、当該部分での摩擦が全く期待できず、作業中に手のくるぶし付近で端縁が周方向に広がるなどして、作業用手袋がズレたり、手から不慮に外れたりするおそれがある。
【０００６】
本発明は、かかる点に鑑みてなされたものであり、その目的とするところは、着脱性を高めつつ作業中のズレや不慮の外れなどを防止して装着性を高めることができる作業用手袋を提供することにある。
【課題を解決するための手段】
【０００７】
上記目的を達成するため、本発明が講じた解決手段は、指先から手のくるぶし付近までの長さを有し、少なくとも手の平側に対応する部分がゴム材により被覆された作業用手袋を前提とし、上記手のくるぶし付近に対応する部分に、そのくるぶし付近の端縁より指側に向かって切り欠いたスリットを設けている。そして、上記スリットを挟んで対向する一方の対応部位に、互いに係脱自在に係合する面ファスナーの雄材及び雌材のいずれか一方を取り付ける一方、他方の対応部位に、上記面ファスナーの雄材及び雌材のいずれか他方を取り付けて、手に装着した際に面ファスナーの雄材と雌材との係合により手のくるぶし付近での締め付け調節がなされていることを特徴としている。
【０００８】
この特定事項により、少なくとも手の平側に対応する部分がゴム材により被覆された作業用手袋は、手に装着した際に面ファスナーの雄材と雌材との係合により手のくるぶし付近での締め付け調節がなされるので、作業用手袋の着脱時に面ファスナーの雄材と雌材とを非係合な状態にしておけば、スリットが広げられて、手の甲側に対応する部分と手の平側に対応する部分での摩擦が緩和され、作業用手袋の着脱性を高めることが可能となる。
そして、作業用手袋を手に装着した際に面ファスナーの雄材と雌材との係合により手のくるぶし付近で締め付け調節されると、手の甲側に対応する部分と手の平側に対応する部分とが共に手に密接する上、作業中に手のくるぶし付近で端縁が周方向に広がることがなく、手に装着した際の摩擦が増大する。これにより、作業中に作業用手袋がズレたり、手から不慮に外れたりすることがなく、作業中の作業用手袋の装着性を高めることが可能となる。
【０００９】
また、上記目的を達成するため、本発明が講じたその他の解決手段は、指先から手のくるぶし付近までの長さを有し、少なくとも手の平側に対応する部分が皮革材により成形された作業用手袋を前提とし、上記手のくるぶし付近に対応する部分に、そのくるぶし付近の端縁より指先側に向かって切り欠いたスリットを設けている。そして、上記スリットを挟んで対向する一方の対応部位に、互いに係脱自在に係合する面ファスナーの雄材及び雌材のいずれか一方を取り付ける一方、他方の対応部位に、上記面ファスナーの雄材及び雌材のいずれか他方を取り付けて、手に装着した際に面ファスナーの雄材と雌材との係合により手のくるぶし付近での締め付け調節がなされていることを特徴としている。
【００１０】
この特定事項により、少なくとも手の平側に対応する部分が皮革材により成形された作業用手袋は、手に装着した際に面ファスナーの雄材と雌材との係合により手のくるぶし付近での締め付け調節がなされるので、作業用手袋の着脱時に面ファスナーの雄材と雌材とを非係合な状態にしておけば、スリットが広げられて、手の甲側に対応する部分と手の平側に対応する部分での摩擦が緩和され、作業用手袋の着脱性を高めることが可能となる。
そして、作業用手袋を手に装着した際に面ファスナーの雄材と雌材との係合により手のくるぶし付近で締め付け調節されると、手の甲側に対応する部分と手の平側に対応する部分とが共に手に密接する上、作業中に手のくるぶし付近で端縁が周方向に広がることがなく、手に装着した際の摩擦が増大する。これにより、作業中に作業用手袋がズレたり、手から不慮に外れたりすることがなく、作業中の作業用手袋の装着性を高めることが可能となる。
【００１１】
また、手の甲側に対応する部分が、伸縮性を有する編地により構成されていることが好ましい。
【００１２】
この場合には、手の甲側に対応する部分が伸縮性を有する編地により構成されているので、当該部分での摩擦の緩和が犠牲になることがなく、作業用手袋の着脱性を十分に高めることができる。
しかも、手の甲が編地により保護され、作業中の手の甲を円滑に守ることができる。
【発明の効果】
【００１３】
以上、要するに、少なくとも手の平側に対応する部分がゴム材又は皮革材よりなる作業用手袋を手に装着した際に面ファスナーの雄材と雌材との係合により手のくるぶし付近で締め付け調節を行うことで、作業用手袋の着脱時に面ファスナーの雄材と雌材との非係合な状態で広がるスリットによって手の甲側に対応する部分と手の平側に対応する部分での摩擦を緩和させている。一方、作業用手袋を手に装着した際に面ファスナーの雄材と雌材との係合状態で手のくるぶし付近での締め付け調節によって手の甲側に対応する部分と手の平側に対応する部分とを共に手に密接させる上、作業中に手のくるぶし付近での端縁の周方向への広がりをなくし、これによって手に装着した際の摩擦を増大させている。この結果、作業用手袋の着脱性を高めることができるとともに、作業中の作業用手袋のズレや不慮の外れなどを防止して装着性を高めることができる。
【図面の簡単な説明】
【００１４】
【図１】本発明の第１の実施の形態に係る一部ゴム製の作業用手袋を手のひら側から見た外観図である。
【図２】図１の作業用手袋を手の甲側から見た面ファスナーの非係合状態での外観図である。
【図３】図２の面ファスナーの係合状態での作業用手袋の外観図である。
【図４】本発明の第２の実施の形態に係る一部皮革製の作業用手袋を手のひら側から見た外観図である。
【図５】図４の作業用手袋を手の甲側から見た面ファスナーの非係合状態での外観図である。
【図６】図５の面ファスナーの係合状態での作業用手袋の外観図である。
【図７】本発明の第３の実施の形態に係る全て皮革製の作業用手袋を手のひら側から見た外観図である。
【図８】図７の作業用手袋を手の甲側から見た面ファスナーの非係合状態での外観図である。
【図９】図８の面ファスナーの係合状態での作業用手袋の外観図である。
【発明を実施するための形態】
【００１５】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１〜図３を用いて、本発明の実施の形態に係る作業用手袋１について説明する。
【００１６】
図１〜図３に示すように、上記作業用手袋１は、右手用のものであって、その全長として各指の指先から手のくるぶし付近までの長さとしている。実際には、全長約２０ｃｍ〜２４ｃｍ程度としている。なお、図１〜図３では右手用の作業用手袋１についてのみ示すが、左手用の作業用手袋（図示せず）も同じ構成となるので、その説明は省略する。
【００１７】
上記作業用手袋１は、繊維性の原手１０と、この原手１０に被覆されるゴム材としてのゴム被膜２とからなる。また、上記作業用手袋１は、５本の指部１１〜１５と、手の甲に対応する手甲部１６と、手の平に対応する手掌部１７と、手首部１８とを備え、人間の手に近い形に形成されている。
【００１８】
上記原手１０は、綿糸を地編糸にして１３〜１５ゲージのファインゲージにより、手首部１８はゴム編みとし、手首部１８以外は平編みに編成される。なお、地編糸としては、綿糸に限定されるものではなく、麻糸、毛糸、絹糸、レーヨン糸、ウーリーナイロン糸、ポリエステル糸、ポリウレタン糸、これらの混紡糸（例えばＴＣ混紡糸等）などが適当される。また、ファインゲージは１３〜１５ゲージとしたが、それ以上であってもよいのはもちろんである。
【００１９】
上記ゴム被膜２は、原手１０の手掌部１７側において被覆されている。つまり、作業用手袋１は、５本の指部１１〜１５の近位指節間関節の背側から手甲部１６を経て手首部１８に至る部分を除く部位にゴム被膜２が被覆されている。この場合、手首部１８は、その全周に亘ってゴム被膜２が被覆されていない。
【００２０】
ここで、原手１０にゴム被膜２を被覆する手法について簡単に説明する。
まず、半加硫を行うための手型（図示せず）に原手１０を被せ、浸透防止剤（例えばメタノール溶液）中に全体を浸漬した後に引き上げ、ゴムラテックス配合物の原料液中に原手１０をその５本の指部１１〜１５の近位指節間関節の背側から手甲部１６を経て手首部１８に至る部分が沈まないようにして５秒間浸漬し、上記原料液の被膜ができるだけ薄くなるようにして引き上げ、原手１０に上記原料液を背抜き状態で付着させる。この場合、原手１０に軽くメタノールを付着させることで、微弱な凝固作用によって原料液が原手１０になじみ、境界線をきれいにまた均一に付着させる作用をさせている。
【００２１】
その後、原手１０に付着した上記原料液を約７０°Ｃの温度で２０分程度加熱して一次加硫を行う。次いで、約９０〜１００°Ｃの温度で５０〜６０分程度本加硫を行う。この本加硫により、原手１０に付着するゴム被膜２の架橋による編目構造（図１〜図３に一部分のみ示す）が十分に形成され、原手１０は手型の形に沿って強制的に整形される。この本加硫を終えることで、５本の指部１１〜１５の近位指節間関節の背側から手甲部１６を経て手首部１８に至る部分を除く部位がゴム被膜２で被覆された作業用手袋１を得る。
【００２２】
そして、上記作業用手袋１の手のくるぶし付近に対応する部分、つまり手首部１８には、そのくるぶし付近の端縁より小指部１５側に向かって切り欠いたスリット１９が設けられている。また、上記スリット１９を挟んで対向する手首部１８の手甲部１６側および手掌部１７側のうちの一方の対応部位となる手首部１８の手甲部１６側には、互いに係脱自在に係合する面ファスナー３の雄材３１及び雌材３２のうちの雄材３１が取り付けられている。この雄材３１は、カギ状またはキノコ状のフック部からなり、スリット１９から一定の幅（例えば３ｃｍ程度）を有して手首部１８の手甲部１６側の端縁に沿って周方向に設けられている。
【００２３】
一方、上記スリット１９を挟んで対向する手首部１８の手甲部１６側および手掌部１７側のうちの他方の対応部位となる手首部１８の手掌部１７側には、面ファスナー３の雌材３２が取り付けられている。この雌材３２は、ループ状またはアーチ状の係合素子からなり、手首部１８の手掌部１７側のスリット１９に一端が取り付けられた一定の幅（例えば３ｃｍ程度）のバンド３３の裏面に設けられている。そして、上記作業用手袋１を手に装着した際にバンド３３の裏面の雌材３２を手首部１８の手掌部１７側に引き付けてスリット１９を閉ざすように雄材３１に係合させることによって、手のくるぶし付近での締め付け調節がなされる。
【００２４】
また、上記作業用手袋１の手甲部１６は、ゴム被膜２で被覆されていないために伸縮性を有する原手１０の編地により構成されてなる。この手甲部１６には、手の中手指節関節を保護するためのナックルガード２１が設けられている。ナックルガード２１は、手甲部１６の中手指節関節に対応する部位でゴム材を非連続状態で点在させてなるものである。
【００２５】
したがって、本実施の形態では、５本の指部１１〜１５の近位指節間関節の背側から手甲部１６を経て手首部１８に至る部分を除く部位がゴム被膜２により被覆された作業用手袋１は、手に装着した際にバンド３３の裏面の雌材３２を手首部１８の手掌部１７側に引き付けてスリット１９を閉ざすように雄材３１に係合させることによって、手のくるぶし付近での締め付け調節がなされるので、作業用手袋１の着脱時に面ファスナー３の雄材３１と雌材３２とを非係合な状態にしておけば、スリット１９が広げられて、手甲部１６側および手掌部１７側での摩擦が緩和され、作業用手袋１の着脱性が高められる。
そして、作業用手袋１を手に装着した際に面ファスナー３の雄材３１と雌材３２との係合により手のくるぶし付近で締め付け調節されると、手甲部１６と手掌部１７とが共に手に密接する上、作業中に手のくるぶし付近で端縁がスリット１９により周方向に広がることがなく、手に装着した際の摩擦が増大する。これにより、作業中に作業用手袋１がズレたり、手から不慮に外れたりすることがなく、作業中の作業用手袋１の装着性が高められる。
この結果、作業用手袋１の着脱性を高めることができるとともに、作業中の作業用手袋１のズレや不慮の外れなどを防止して装着性を高めることができる。
【００２６】
しかも、作業用手袋１の手甲部１６が、伸縮性を有する原手１０の編地により構成されているので、作業用手袋１の着脱時に手甲部１６での摩擦の緩和が犠牲になることがなく、作業用手袋１の着脱性を十分に高めることができる。
更に、手の甲が原手１０の編地により保護され、作業中の手の甲を円滑に守ることができる。
【００２７】
次に、本発明の第２の実施の形態を図４〜図６に基づいて説明する。
この実施の形態では、作業用手袋を皮革材と編地とで構成している。なお、皮革材および編地を除くその他の構成は、上記第１の実施の形態と同じであり、同一部分については同じ符号を付してその詳細な説明は省略する。
【００２８】
すなわち、本実施の形態では、図４〜図６に示すように、４は作業用手袋であって、この作業用手袋４は、右手用のものであり、その全長として各指の指先から手のくるぶし付近までの長さとしている。実際には、全長約１８ｃｍ〜２２ｃｍ程度としている。なお、図４〜図６では右手用の作業用手袋４についてのみ示すが、左手用の作業用手袋（図示せず）も同じ構成となるので、その説明は省略する。
【００２９】
上記作業用手袋４は、５本の指部４１〜４５と、手の甲に対応する手甲部４６と、手の平に対応する手掌部４７と、手首部４８とを備え、人間の手に近い形に形成されている。
【００３０】
そして、上記作業用手袋４は、手掌部４７側が皮革材５により成形されている。つまり、作業用手袋４は、５本の指部４１〜４５の近位指節間関節の背側から手甲部４６を経て手首部４８に至る部分を除く部位が皮革材５によって成形されている。
【００３１】
上記作業用手袋４の各指部４１〜４５の近位指節間関節の背側から手甲部４６を経て手首部４８に至る部分は、綿糸を地編糸にして１３〜１５ゲージのファインゲージにより、手首部４８はゴム編みとし、手首部４８以外は平編みに編成された編地６により構成されている。この場合、上記作業用手袋４の手甲部４６全域も、手首部４８と同様に伸縮性を有している。また、皮革材５と編地６とは、その境界部分において縫製により接合されている。なお、地編糸としては、綿糸に限定されるものではなく、麻糸、毛糸、絹糸、レーヨン糸、ウーリーナイロン糸、ポリエステル糸、ポリウレタン糸、これらの混紡糸（例えばＴＣ混紡糸等）などが適当される。また、ファインゲージは１３〜１５ゲージとしたが、それ以上であってもよいのはもちろんである。
【００３２】
そして、上記作業用手袋４の手のくるぶし付近に対応する部分、つまり手首部４８には、そのくるぶし付近の端縁より小指部４５側に向かって切り欠いたスリット４９が設けられている。また、上記スリット４９を挟んで対向する手首部４８の手甲部４６側および手掌部４７側のうちの一方の対応部位となる手首部４８の手甲部４６側には、面ファスナー３の雄材３１が取り付けられている。
【００３３】
一方、上記スリット４９を挟んで対向する手首部４８の手甲部４６側および手掌部４７側のうちの他方の対応部位となる手首部４８の手掌部４７側には、面ファスナー３の雌材３２が取り付けられている。この雌材３２は、手首部４８の手掌部４７側のスリット４９に一端が取り付けられたバンド３３の裏面に設けられている。そして、上記作業用手袋４を手に装着した際にバンド３３の裏面の雌材３２を手首部４８の手掌部４７側に引き付けてスリット４９を閉ざすように雄材３１に係合させることによって、手のくるぶし付近での締め付け調節がなされる。
【００３４】
したがって、本実施の形態では、５本の指部４１〜４５の近位指節間関節の背側から手甲部４６を経て手首部４８に至る部分を除く部位が皮革材５により成形された作業用手袋４は、手に装着した際にバンド３３の裏面の雌材３２を手首部４８の手掌部４７側に引き付けてスリット４９を閉ざすように雄材３１に係合させることによって、手のくるぶし付近での締め付け調節がなされるので、作業用手袋４の着脱時に面ファスナー３の雄材３１と雌材３２とを非係合な状態にしておけば、スリット４９が広げられて、手甲部４６側および手掌部４７側での摩擦が緩和され、作業用手袋４の着脱性が高められる。
そして、作業用手袋４を手に装着した際に面ファスナー３の雄材３１と雌材３２との係合により手のくるぶし付近で締め付け調節されると、手甲部４６と手掌部４７とが共に手に密接する上、作業中に手のくるぶし付近で端縁がスリット４９により周方向に広がることがなく、手に装着した際の摩擦が増大する。これにより、作業中に作業用手袋４がズレたり、手から不慮に外れたりすることがなく、作業中の作業用手袋４の装着性が高められる。
この結果、作業用手袋４の着脱性を高めることができるとともに、作業中の作業用手袋４のズレや不慮の外れなどを防止して装着性を高めることができる。
【００３５】
しかも、作業用手袋４の手甲部４６が、伸縮性を有する編地６により構成されているので、作業用手袋４の着脱時に手甲部４６での摩擦の緩和が犠牲になることがなく、作業用手袋４の着脱性を十分に高めることができる。
更に、手の甲が編地６により保護され、作業中の手の甲を円滑に守ることができる。
【００３６】
次に、本発明の第３の実施の形態を図７〜図９に基づいて説明する。
この実施の形態では、作業用手袋を皮革材のみで構成している。なお、皮革材を除くその他の構成は、上記第１の実施の形態と同じであり、同一部分については同じ符号を付してその詳細な説明は省略する。
【００３７】
すなわち、本実施の形態では、図７〜図９に示すように、７は作業用手袋であって、この作業用手袋７は、右手用のものであり、その全長として各指の指先から手のくるぶし付近までの長さとしている。実際には、全長約２０ｃｍ〜２４ｃｍ程度としている。なお、図７〜図９では右手用の作業用手袋７についてのみ示すが、左手用の作業用手袋（図示せず）も同じ構成となるので、その説明は省略する。
【００３８】
上記作業用手袋７は、５本の指部７１〜７５と、手の甲に対応する手甲部７６と、手の平に対応する手掌部７７と、手首部７８とを備え、人間の手に近い形に形成されている。この作業用手袋７は、５本の指部７１〜７５、手甲部７６、手掌部７７、および手首部７８の全てが皮革材８により成形されている。
【００３９】
そして、上記作業用手袋７の手のくるぶし付近に対応する部分、つまり手首部７８には、そのくるぶし付近の端縁より小指部７５側に向かって切り欠いたスリット７９が設けられている。また、上記スリット７９を挟んで対向する手首部７８の手甲部７６側および手掌部７７側のうちの一方の対応部位となる手首部７８の手甲部７６側には、面ファスナー３の雄材３１が取り付けられている。
【００４０】
一方、上記スリット７９を挟んで対向する手首部７８の手甲部７６側および手掌部７７側のうちの他方の対応部位となる手首部７８の手掌部７７側には、面ファスナー３の雌材３２が取り付けられている。この雌材３２は、手首部７８の手掌部７７側のスリット７９に一端が取り付けられたバンド３３の裏面に設けられている。そして、上記作業用手袋７を手に装着した際にバンド３３の裏面の雌材３２を手首部７８の手掌部７７側に引き付けてスリット７９を閉ざすように雄材３１に係合させることによって、手のくるぶし付近での締め付け調節がなされる。
【００４１】
したがって、本実施の形態では、５本の指部７１〜７５、手甲部７６、手掌部７７、および手首部７８の全てが皮革材８により成形された作業用手袋７は、手に装着した際にバンド３３の裏面の雌材３２を手首部７８の手掌部７７側に引き付けてスリット７９を閉ざすように雄材３１に係合させることによって、手のくるぶし付近での締め付け調節がなされるので、作業用手袋７の着脱時に面ファスナー３の雄材３１と雌材３２とを非係合な状態にしておけば、スリット７９が広げられて、手甲部７６側および手掌部７７側での摩擦が緩和され、作業用手袋７の着脱性が高められる。
そして、作業用手袋７を手に装着した際に面ファスナー３の雄材３１と雌材３２との係合により手のくるぶし付近で締め付け調節されると、手甲部７６と手掌部７７とが共に手に密接する上、作業中に手のくるぶし付近で端縁がスリット７９により周方向に広がることがなく、手に装着した際の摩擦が増大する。これにより、作業中に作業用手袋７がズレたり、手から不慮に外れたりすることがなく、作業中の作業用手袋７の装着性が高められる。
この結果、作業用手袋７の着脱性を高めることができるとともに、作業中の作業用手袋７のズレや不慮の外れなどを防止して装着性を高めることができる。
【００４２】
本発明は、上記各実施の形態に限定されるものではなく、その他種々の変形例を包含している。例えば、上記各実施の形態では、スリット１９，４９，７９を挟んで対向する手首部１８，４８，７８の手甲部１６，４６，７６側に面ファスナー３の雄材３１を取り付ける一方、手首部１８，４８，７８の手掌部１７，４７，７７側のスリット１９，４９，７９に一端を取り付けたバンド３３の裏面に面ファスナー３の雌材３２を取り付けたが、スリットを挟んで対向する手首部の手甲部側および手掌部側のうちの一方の対応部位となる手首部の手掌部側に面ファスナーの雄材が取り付けられる一方、スリットを挟んで対向する手首部の手甲部側および手掌部側のうちの他方の対応部位となる手首部の手甲部側のスリットに一端を取り付けたバンドの裏面に面ファスナーの雌材が取り付けられていてもよい。この場合、手首部の手掌部側のスリットに一端が取り付けられたバンドは有ってもなくてもよく、スリットを挟んで対向する手首部の手甲部側に面ファスナーの雌材が取り付けられていてもよい。
【００４３】
また、上記各実施の形態では、くるぶし付近の端縁より小指部１５，４５，７５側に向かって切り欠いたスリット１９，４９，７９を手首部１８，４８，７８に設けたが、スリットは手首部の手掌部側および手甲部側のいずれの部位に設けられていてもよい。
【００４４】
また、上記第１の実施の形態では、作業用手袋１の各指部１１〜１５の近位指節間関節の背側から手甲部１６を経て手首部１８に至る部分を除く部位にゴム被膜２を被覆したが、原手の全域、つまり５本の指部、手甲部、手掌部、および手首部の全てがゴム被膜により被覆されていてもよい。
【符号の説明】
【００４５】
１      作業用手袋
１６    手甲部（手の甲側に対応する部分）
１７    手掌部（手の平側に対応する部分）
１８    手首部（手のくるぶし付近に対応する部分）
１９    スリット
２      ゴム被膜（ゴム材）
３      面ファスナー
３１    雄材
３２    雌材
４      作業用手袋
４６    手甲部（手の甲側に対応する部分）
４７    手掌部（手の平側に対応する部分）
４８    手首部（手のくるぶし付近に対応する部分）
４９    スリット
５      皮革材
６      編地
７      作業用手袋
７６    手甲部（手の甲側に対応する部分）
７７    手掌部（手の平側に対応する部分）
７８    手首部（手のくるぶし付近に対応する部分）
７９    スリット
８      皮革材
【図１】
2012052261.tif 000003
【図２】
2012052261.tif 000004
【図３】
2012052261.tif 000005
【図４】
2012052261.tif 000006
【図５】
2012052261.tif 000007
【図６】
2012052261.tif 000008
【図７】
2012052261.tif 000009
【図８】
2012052261.tif 000010
【図９】
2012052261.tif 000011